(57)【要約】    【課題】  秘匿対象に関する情報漏洩を確実に防止することができる画像出力システムを提供する。    【解決手段】  画像出力システムは、デジタルカメラ１００及びプリンタ３００を備え、デジタルカメラ１００では、画像の撮像時の測位情報がＸＭＬデータに記述され、該ＸＭＬデータは、メモリカード１０９によってプリンタ３００に授受され、プリンタ３００では、ＸＭＬデータから解析された測位情報が秘匿対象測位情報に該当する場合（ステップＳ４０３でＮｏ）、ディスプレイ部に「プリント許可できません」の文字列が表示され（ステップＳ４０５）、プリント許可信号が出力されることなく、本処理が終了される。【選択図】      図４
2006165814.tif 000002
【特許請求の範囲】
【請求項１】
画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、
前記記録媒体から前記画像データを読み込むデータ読み込み手段と、前記読み込まれた画像データを出力する画像データ出力手段とを備える画像出力装置からなる画像出力システムにおいて、
前記画像撮像装置は、前記画像が撮像された位置を測定して位置情報として出力する測位出力手段を備え、前記記録媒体は、前記出力された位置情報を前記画像データの付加情報として記録し、
前記画像出力装置は、前記記録された付加情報を解析する付加情報解析手段を備え、前記画像データ出力手段は、前記解析された付加情報が秘匿対称の存在場所に対応するときは、前記読み込まれた画像データの出力を禁止することを特徴とする画像出力システム。
【請求項２】
前記画像撮像装置は、前記位置情報に基づいて前記画像データに関連付けられたメタデータを生成するメタデータ生成手段をさらに備え、前記記録媒体は、前記付加情報として前記生成されたメタデータを記録し、前記付加情報解析手段は、前記記録されたメタデータを解析し、前記画像データ出力手段は、前記解析されたメタデータが秘匿対称の存在場所に対応するときは、前記読み込まれた画像データの出力を禁止することを特徴とする請求項１記載の画像出力システム。
【請求項３】
前記メタデータはＸＭＬ（eXtensible Markup Language）で記述されていることを特徴とする請求項２記載の画像出力システム。
【請求項４】
前記測位出力手段はＧＰＳ（Global Positioning System）であることを特徴とする請求項１乃至３のいずれか1項に記載の画像出力システム。
【請求項５】
画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、前記記録媒体から前記画像データを読み込むデータ読み込み手段と、前記読み込まれた画像データを出力する画像データ出力手段とを備える画像出力装置からなる画像出力システムの画像出力方法であって、
前記画像が撮像された位置を測定して位置情報として出力する測位出力ステップと、
前記出力された位置情報を前記画像データの付加情報として前記記録媒体に記録する付加情報記録ステップと、
前記記録媒体に記録された付加情報を解析する付加情報解析ステップと、
前記解析された付加情報が秘匿対称の存在場所に対応するときは、前記読み込まれた画像データの出力を禁止する画像データ出力禁止ステップとを有することを特徴とする画像出力方法。
【請求項６】
画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、前記記録媒体から前記画像データを読み込むデータ読み込み手段と、前記読み込まれた画像データを出力する画像データ出力手段とを備える画像出力装置からなる画像出力システムの画像出力方法をコンピュータに実行させるプログラムであって、
前記画像が撮像された位置を測定して位置情報として出力する測位出力モジュールと、
前記出力された位置情報を前記画像データの付加情報として前記記録媒体に記録する付加情報記録モジュールと、
前記記録媒体に記録された付加情報を解析する付加情報解析モジュールと、
前記解析された付加情報が秘匿対称の存在場所に対応するときは、前記読み込まれた画像データの出力を禁止する画像データ出力禁止モジュールとを有することを特徴とするプログラム。
【請求項７】
画像データを記録する記録媒体から前記画像データを読み込むデータ読み込み手段と、前記読み込まれた画像データを出力する画像データ出力手段とを備える画像出力装置において、
前記画像データの画像が撮像された位置情報が秘匿対称の存在場所に対応するときは、前記読み込まれた画像データの出力を禁止することを特徴とする画像出力装置。
【請求項８】
画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置において、
前記画像が撮像された位置を測定する測定手段を備え、
前記測定手段により測定された位置に応じて、前記画像データの出力を禁止する出力禁止情報を前記画像データに関連付けることを特徴とする画像撮像装置。
【請求項９】
画像データを記録する記録媒体から前記画像データを読み込むデータ読み込み手段と、前記読み込まれた画像データを出力する画像データ出力手段とを備える画像出力装置の制御方法であって、
前記画像データの画像が撮像された位置情報が秘匿対称の存在場所に対応するときは、前記読み込まれた画像データの出力を禁止する画像データ出力禁止ステップを有することを特徴とする制御方法。
【請求項１０】
画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置の制御方法であって、
前記画像が撮像された位置を測定する測定ステップと、
前記測定された位置に応じて、前記画像データの出力を禁止する出力禁止情報を前記画像データに関連付ける出力禁止情報関連付けステップとを有することを特徴とする制御方法。
【発明の詳細な説明】
【技術分野】
【０００１】
本発明は、画像出力システム、画像出力方法、プログラム、画像撮像装置、画像出力装置、画像出力装置の制御方法及び画像撮像装置の制御方法に関し、特に、撮像された画像及び該画像に関連する情報を記録する着脱可能な記録媒体を有する画像撮像装置と、該記録媒体に記録された画像に関連する情報に基づいて画像を出力する画像出力装置とを備える画像出力システムに関する。
【背景技術】
【０００２】
画像撮像装置としてのデジタルカメラの普及及び小型化に伴い、該デジタルカメラのユーザが撮影可能な対象及び場所が増え、ユーザが場所を意識せず気軽に対象を撮影する機会が増えている。特に、近年における携帯電話等のモバイル電子機器へのデジタルカメラ機能の付加により、上述したような機会は増加の一途にある。
【０００３】
また、通常、デジタルカメラは着脱可能な記録媒体（リムーバブルメディア）を有するが、デジタルカメラにおいて該リムーバブルメディアに記録される情報は、撮像された画像に限らず、画像ソース情報、日付／時刻、プリント枚数、プリント種、文字及び挿入タイトル、画像プリント処理情報等が挙げられる。このリムーバブルメディアは、画像出力装置としてのプリンタに、ＰＣを介して、若しくは直接接続され、プリンタはリムーバブルメディアに記録される情報に基づいて撮像された画像を出力する。
【０００４】
一方、デジタルカメラの普及及び小型化による撮影機会の増加は、結果として秘匿対象、例えば、開発工場内の装置や製品等の撮影機会の増加や、個人のプライバシーに関する事柄の撮影機会の増加を招くため、秘匿対象に関する情報漏洩防止策を確立することが急務となっている。このような、情報漏洩防止策としては、秘匿対象が存在する場所、例えば、工場等へのデジタルカメラ等の持ち込み制限や秘匿対象を撮像した画像の出力禁止等が挙げられる。例えば、撮像した画像の出力禁止方法としては、撮影失敗時にカメラのプリント禁止スイッチ２０を操作してプリント禁止情報を発生させ、さらにバーコード化されたプリント禁止情報をフィルムのコマに記録する方法が知られてる（例えば、特許文献１参照。）。
【特許文献１】特開平７−７７７４３号公報
【発明の開示】
【発明が解決しようとする課題】
【０００５】
しかしながら、上述した持ち込み制限では、ユーザ自身のモラルに頼る必要があり、ユーザに物理的な制限を課すことができないため、秘匿対象に関する情報漏洩防止策としては十分でないという問題があった。特に、近年、デジタルカメラの小型化、及びデジタルカメラ以外のモバイル電子機器へのデジタルカメラ機能の付加が著しく進んでいるため、秘匿対象の撮像を防止することは益々困難になっており、より確実な情報漏洩防止策が求められている。
【０００６】
また、上述した撮像した画像の出力禁止方法でも、ユーザがカメラのプリント禁止スイッチ２０を操作する必要があるため、やはりユーザ自身のモラルに頼る必要があり、秘匿対象に関する情報漏洩防止策としては十分でないという問題があった。
【０００７】
本発明の目的は、秘匿対象に関する情報漏洩を確実に防止することができる画像出力システム、画像出力方法、プログラム、画像撮像装置、画像出力装置、画像出力装置の制御方法及び画像撮像装置の制御方法を提供することにある。
【課題を解決するための手段】
【０００８】
上記目的を達成するために、請求項１記載の画像出力システムは、画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、前記記録媒体から前記画像データを読み込むデータ読み込み手段と、前記読み込まれた画像データを出力する画像データ出力手段とを備える画像出力装置からなる画像出力システムにおいて、前記画像撮像装置は、前記画像が撮像された位置を測定して位置情報として出力する測位出力手段を備え、前記記録媒体は、前記出力された位置情報を前記画像データの付加情報として記録し、前記画像出力装置は、前記記録された付加情報を解析する付加情報解析手段を備え、前記画像データ出力手段は、前記解析された付加情報が秘匿対称の存在場所に対応するときは、前記読み込まれた画像データの出力を禁止することを特徴とする。
【０００９】
請求項２記載の画像出力システムは、請求項１記載の画像出力システムにおいて、前記画像撮像装置は、前記位置情報に基づいて前記画像データに関連付けられたメタデータを生成するメタデータ生成手段をさらに備え、前記記録媒体は、前記付加情報として前記生成されたメタデータを記録し、前記付加情報解析手段は、前記記録されたメタデータを解析し、前記画像データ出力手段は、前記解析されたメタデータが秘匿対称の存在場所に対応するときは、前記読み込まれた画像データの出力を禁止することを特徴とする。
【００１０】
請求項３記載の画像出力システムは、請求項２記載の画像出力システムにおいて、前記メタデータはＸＭＬ（eXtensibleMarkupLanguage）で記述されていることを特徴とする。
【００１１】
請求項４記載の画像出力システムは、請求項１乃至３のいずれか1項に記載の画像出力システムにおいて、前記測位出力手段はＧＰＳ（GlobalPositioningSystem）であることを特徴とする。
【００１２】
上記目的を達成するために、請求項５記載の画像出力方法は、画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、前記記録媒体から前記画像データを読み込むデータ読み込み手段と、前記読み込まれた画像データを出力する画像データ出力手段とを備える画像出力装置からなる画像出力システムの画像出力方法であって、前記画像が撮像された位置を測定して位置情報として出力する測位出力ステップと、前記出力された位置情報を前記画像データの付加情報として前記記録媒体に記録する付加情報記録ステップと、前記記録媒体に記録された付加情報を解析する付加情報解析ステップと、前記解析された付加情報が秘匿対称の存在場所に対応するときは、前記読み込まれた画像データの出力を禁止する画像データ出力禁止ステップとを有することを特徴とする。
【００１３】
上記目的を達成するために、請求項６記載のプログラムは、画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置、並びに、前記記録媒体から前記画像データを読み込むデータ読み込み手段と、前記読み込まれた画像データを出力する画像データ出力手段とを備える画像出力装置からなる画像出力システムの画像出力方法をコンピュータに実行させるプログラムであって、前記画像が撮像された位置を測定して位置情報として出力する測位出力モジュールと、前記出力された位置情報を前記画像データの付加情報として前記記録媒体に記録する付加情報記録モジュールと、前記記録媒体に記録された付加情報を解析する付加情報解析モジュールと、前記解析された付加情報が秘匿対称の存在場所に対応するときは、前記読み込まれた画像データの出力を禁止する画像データ出力禁止モジュールとを有することを特徴とする。
【００１４】
上記目的を達成するために、請求項７記載の画像出力装置は、画像データを記録する記録媒体から前記画像データを読み込むデータ読み込み手段と、前記読み込まれた画像データを出力する画像データ出力手段とを備える画像出力装置において、前記画像データの画像が撮像された位置情報が秘匿対称の存在場所に対応するときは、前記読み込まれた画像データの出力を禁止することを特徴とする。
【００１５】
上記目的を達成するために、請求項８記載の画像撮像装置は、画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置において、前記画像が撮像された位置を測定する測定手段を備え、前記測定手段により測定された位置に応じて、前記画像データの出力を禁止する出力禁止情報を前記画像データに関連付けることを特徴とする。
【００１６】
上記目的を達成するために、請求項９記載の画像出力装置の制御方法は、画像データを記録する記録媒体から前記画像データを読み込むデータ読み込み手段と、前記読み込まれた画像データを出力する画像データ出力手段とを備える画像出力装置の制御方法であって、前記画像データの画像が撮像された位置情報が秘匿対称の存在場所に対応するときは、前記読み込まれた画像データの出力を禁止する画像データ出力禁止ステップを有することを特徴とする。
【００１７】
上記目的を達成するために、請求項１０記載の画像撮像装置の制御方法は、画像光を受光する撮像素子、及び該撮像素子の受光面に結像された前記画像光を画像データに変換することによって画像を撮像する画像撮像手段を有する本体部と、前記画像データを記録する、前記本体部と着脱自在な記録媒体とを備える画像撮像装置の制御方法であって、前記画像が撮像された位置を測定する測定ステップと、前記測定された位置に応じて、前記画像データの出力を禁止する出力禁止情報を前記画像データに関連付ける出力禁止情報関連付けステップとを有することを特徴とする。
【発明の効果】
【００１８】
請求項１記載の画像出力システム、請求項５記載の画像出力方法及び請求項６記載のプログラムによれば、画像が撮像された位置が測定されて位置情報として出力され、該出力された位置情報が画像データの付加情報として記録媒体に記録され、該記録媒体に記録された付加情報が解析され、該解析された付加情報が秘匿対称の存在場所に対応するときは、記録媒体から読み込まれた画像データの出力が禁止されるので、ユーザ自身のモラルに頼ることなく、秘匿対象に関する画像データの出力を禁止することができ、もって秘匿対象に関する情報漏洩を確実に防止することができる。
【００１９】
請求項２記載の画像出力システムによれば、位置情報に基づいて画像データに関連付けられたメタデータが生成されるので、画像データと位置情報との関連付けの管理を正確に行うことができ、その結果、画像データの出力の禁止に関する誤判断を無くすことができる。
【００２０】
請求項３記載の画像出力システムによれば、メタデータはＸＭＬで記述されるので、画像データと位置情報との関連付けの管理及び確認が容易になり、その結果、画像データの出力の禁止に関する誤判断を確実に無くすことができる。
【００２１】
請求項４記載の画像出力システムによれば、測位出力手段はＧＰＳであるので、位置情報を正確に取得することができ、もって、画像が撮像された位置と秘匿対称の存在する場所との比較を正確に行うことができる。
【００２２】
請求項７記載の画像出力装置及び請求項９記載の画像出力装置の制御方法によれば、記憶媒体から読み込まれた画像データの画像が撮像された位置が秘匿対称の存在場所に対応するときは、該画像データの出力が禁止されるので、ユーザ自身のモラルに頼ることなく、秘匿対象に関する画像データの出力を禁止することができ、もって秘匿対象に関する情報漏洩を確実に防止することができる。
【００２３】
請求項８記載の画像撮像装置及び請求項１０記載の画像撮像装置の制御方法によれば、画像が撮像された位置が測定され、該測定された位置に応じて、画像データの出力を禁止する出力禁止情報が画像データに関連付けられるので、ユーザ自身のモラルに頼ることなく、秘匿対象に関する画像データの出力を禁止することができ、もって秘匿対象に関する情報漏洩を確実に防止することができる。
【発明を実施するための最良の形態】
【００２４】
以下、本発明の実施の形態について図面を参照しながら詳述する。
【００２５】
まず、本実施の形態に係る画像出力システムを構成する画像撮像装置について説明する。なお、本実施の形態では、後述する図１のデジタルカメラと後述する図３のプリンタとが画像出力システムを構成する。
【００２６】
図１は、本実施の形態に係る画像撮像装置としてのデジタルカメラの概略構成を示すブロック図である。
【００２７】
図１において、デジタルカメラ１００は、後述する光学画像の撮像、処理に関連する構成要素を有するカメラ本体部１０１と、該カメラ本体部１０１に着脱自在な記録媒体としてのメモリカード１０９とを備える。
【００２８】
カメラ本体部１０１は、画像光としての光学画像を取り込むレンズ、該取り込んだ光学画像をアナログ信号に光電変換する撮像素子としてのＣＣＤ、及び光電変換されたアナログ信号をデジタル信号に変換するＡ／Ｄ変換部からなる撮像部１０２（画像撮像手段）と、該撮像部１０２から出力されたデジタル画像信号にフィルター処理、色変換処理、ガンマ補正等の各種画像処理を施す画像処理部１０３（画像撮像手段）と、該画像処理部１０３から出力されたデジタル画像信号をＪＰＥＧフォーマットの画像データとして圧縮変換する画像圧縮・伸長部１０４（画像撮像手段）とを備え、これらにより、所望の画像を撮像して画像データを作成する。
【００２９】
また、カメラ本体部１０１は、ユーザが画像の撮影設定情報を設定するユーザーインターフェイスとしてのＵＩ設定部１０５と、画像が撮像された位置をＧＰＳにより測定して位置情報としての撮像時の測位情報を出力するＧＰＳユニット１１０（測位出力手段）と、ＵＩ設定部１０５から出力された撮影設定情報及びＧＰＳユニット１１０から出力された測位情報に基づいて、撮像された画像に対応する画像データに関連付けられたメタデータとしてのＸＭＬデータを生成するＸＭＬ生成部１０７（メタデータ生成手段）とを備える。ここで、ＧＰＳは多数の移動衛星からの電波を受信することによって、地球上の任意の位置で受信点の３次元位置（緯度、経度等）を測定することのできるシステムであり、これにより、ＧＰＳユニット１１０は、画像を撮像した場所に拘わらず、撮像時の測位情報を正確に出力することができる。
【００３０】
さらに、カメラ本体部１０１は、画像圧縮・伸長部１０４及びＸＭＬ生成部１０７に接続されたデータ記録部１０６を備える、該データ記録部１０６は、メモリカード１０９の接続部であるＩＦ（Inter Face）部１０８にも接続されており、画像圧縮・伸長部１０４から出力された画像データ及びＸＭＬ生成部１０７から出力されたＸＭＬデータを、ＩＦ部１０８を介してメモリカード１０９に記録する。これにより、デジタルカメラ１００は、メモリカード１０９に画像データ及び該画像データの付加情報としてのＸＭＬデータを記録する。
【００３１】
また、カメラ本体部１０１は、撮像された画像をユーザが確認するためのディスプレイ部１１２と、該ディスプレイ部１１２の作動を制御するディスプレイ制御部１１１とを備える。ディスプレイ制御部１１１には、画像圧縮・伸長部１０４から画像処理部１０３で画像処理が施された画像データが入力される。また、画像圧縮・伸長部１０４は、メモリカード１０９に記録された画像データをＩＦ部１０８を介して読み取り解析するデータ読み取り部１１３に接続され、該データ読み取り部１１３によって解析された画像データを伸長した後、例えば、ＪＰＥＧフォーマットに圧縮されていた画像データをビットマップデータに伸長変換した後、該伸長された画像データをディスプレイ制御部１１１に出力する。ディスプレイ制御部１１１は、入力された画像データに基づいてディスプレイ部１１２に画像を表示する。
【００３２】
メモリカード１０９は、データを書込・消去可能な記録媒体であり、ＩＦ部１０８から脱離され、後述するプリンタ３００におけるＩＦ部３０２に接続されたとき、記録した画像データ及びＸＭＬデータをプリンタ３００におけるデータ読み取り部３０３に出力することによって画像データ授受媒体として機能する。
【００３３】
図２は、図１における本体部のＸＭＬ生成部によって生成されるＸＭＬデータの一例を示す図である。
【００３４】
図２において、ＸＭＬデータはＸＭＬで記述されたメタデータであり、撮像された画像に対応する画像データに関連する撮影設定情報が所定のタグに囲まれて記述されている。
【００３５】
ＸＭＬデータに記述されている撮影設定情報としては、<imageName></imageName>のタグで囲まれる関連付け先の画像データ名、<width></width>及び<length></length>のタグでそれぞれ囲まれる画像データの縦及び横の画素数、<xResolution></ xResolution >及び<yResolution></ yResolution >のタグでそれぞれ囲まれる画像データのｘ方向及びｙ方向の解像度に加え、本実施の形態では、<latitude></latitude>のタグで囲まれる撮像時の測位情報における緯度（図２では北緯４３°３′３５″）及び<longitude></longitude>のタグで囲まれる撮像時の測位情報における経度（図２では東経１４１°２１′２５″）が該当する。
【００３６】
次に、本実施の形態に係る画像出力システムを構成する画像出力装置について説明する。
【００３７】
図３は、本実施の形態に係る画像撮像装置としてのプリンタの概略構成を示すブロック図である。
【００３８】
図３において、プリンタ３００は、後述する画像データの出力に関連する構成要素を有するプリンタ本体部３０１と、該プリンタ本体部３０１に着脱自在な上述のメモリカード１０９とを備える。
【００３９】
プリンタ本体部３０１は、メモリカード１０９の接続部としてのＩＦ部３０２と、メモリカード１０９に記録された画像データ及びＸＭＬデータをＩＦ部３０２を介して読み取るデータ読み取り部３０３（データ読み込み手段）と、画像データに所定の処理を施す画像処理部３０４と、ＸＭＬデータを解析するＸＭＬ解析部３０５（付加情報解析手段）とを備える。
【００４０】
データ読み取り部３０３は、読み取った画像データを画像処理部３０４に出力すると共に、読み取ったＸＭＬデータをＸＭＬ解析部３０５に出力する。ＸＭＬ解析部３０５は、入力されたメタデータとしてのＸＭＬデータを解析して、該ＸＭＬデータに記述された撮影設定情報を撮像時の測位情報とその他の撮影設定情報に分離し、測位情報を後述のプリント許可判定部３０７へ出力し、その他の撮影設定情報は画像処理部３０４に出力する。画像処理部３０４は、ＸＭＬ解析部３０５から入力される撮影設定情報等に基づいて、データ読み取り部３０３から入力された画像データに色変換処理を含む種々の画像処理（反転、回転、特殊効果処理等を含む）を施して後述のプリンタエンジン３０６に出力する。
【００４１】
また、プリンタ本体部３０１は、画像データの出力可否を判定するプリント許可判定部３０７（画像データ出力手段）と、該プリント許可判定部３０７の判定結果等に応じて画像データの出力を行うプリンタエンジン３０６（画像データ出力手段）と、ハードディスク等の大規模記憶装置からなるデータベースであって、所定の場所における測位情報と、該場所におけるプリント許可情報、例えば、秘匿対象の存在場所の測位情報（秘匿対象測位情報）と、該場所において撮像された画像に対応する画像データの出力を禁止する出力禁止情報とが格納されているデータベース３０８とを備える。
【００４２】
プリント許可判定部３０７は、ＸＭＬ解析部３０５からの測位情報やデータベース３０８に格納された秘匿対象測位情報及び出力禁止情報に基づいて、後述するプリント許可判定方法を実行し、画像データの出力が可能である場合、プリンタエンジン３０６へプリント許可信号を出力する。プリンタエンジン３０６は、プリント許可判定部３０７からプリント許可信号が入力された場合、画像処理部３０４から入力された画像データのプリント出力を行う。
【００４３】
次に、プリント許可判定部３０７が実行するプリント許可判定方法について説明する。
【００４４】
図４は、図３におけるプリント許可判定部が実行するプリンタのプリント許可判定処理のフローチャートである。
【００４５】
まず、ユーザによってプリンタ３００が有する不図示のプリンタ操作部上のプリントキーが押下されると、ステップＳ４０１において、プリント許可判定部３０７は、ＸＭＬ解析部３０５から測位情報の入力があったか否かを判別し、測位情報の入力がない場合は、ステップＳ４０５に進み、プリンタ３００が有する不図示のディスプレイ部に「プリント許可できません」の文字列を表示し、プリント許可信号を出力することなく、本処理を終了する。
【００４６】
測位情報の入力があった場合（ステップＳ４０１でＹｅｓ）は、データベース３０８に格納された秘匿対象測位情報及び出力禁止情報を参照し（ステップＳ４０２）、続くステップＳ４０３において、ＸＭＬ解析部３０５から入力された測位情報が、出力禁止情報を伴う秘匿対象測位情報に該当するか否かを判断することにより、プリント許可信号を出力するか否かを判定する。入力された測位情報が秘匿対象測位情報に該当する場合（ステップＳ４０３でＮｏ）は、ステップＳ４０５に進む。これにより、測位情報が秘匿対象測位情報に該当する場合には、プリント許可信号を出力せず、測位情報に対応する画像データのプリント出力を禁止する。
【００４７】
入力された測位情報が秘匿対象測位情報に該当しない場合（ステップＳ４０３でＹｅｓ）は、プリンタエンジン３０６へプリント許可信号を出力し（ステップＳ４０４）、本処理を終了する。プリンタエンジン３０６は、プリント許可判定部３０７からプリント許可信号が入力された場合、画像処理部３０４から入力された画像データのプリント出力を行う。
【００４８】
上述した本実施の形態に係る画像出力システム、デジタルカメラ１００、プリンタ３００及び図４の処理によれば、デジタルカメラ１００では、撮像時の測位情報が出力され、該出力された測位情報が撮像された画像に対応する画像データに関連付けられたメタデータとしてのＸＭＬデータにＸＭＬで記述され、画像データと共にＸＭＬデータがメモリカード１０９に記録され、プリンタ３００では、該メモリカード１０９に記録されたＸＭＬデータが解析され、該解析されたＸＭＬデータに記述された撮像時の測位情報が秘匿対象測位情報に該当するときは、メモリカード１０９から読み込まれた画像データの出力が禁止されるので、ユーザ自身のモラルに頼ることなく、秘匿対象に関する画像データの出力を禁止することができ、もって秘匿対象に関する情報漏洩を確実に防止することができる。
【００４９】
また、上述したデジタルカメラ１００では、測位情報に基づいて画像データに関連付けられたメタデータがＸＭＬで記述されて生成されるので、画像データと測位情報との関連付けの管理を正確に行うことができると共に、画像データと測位情報との関連付けの管理及び確認が容易になり、その結果、画像データの出力の禁止に関する誤判断を確実に無くすことができる。
【００５０】
さらに、上述したデジタルカメラ１００では、撮像時の測位情報をＧＰＳによって測定するＧＰＳユニット１１０を備えるので、測位情報を正確に取得することができ、もって、画像が撮像された位置と秘匿対象測位情報との比較を正確に行うことができる。
【００５１】
なお、デジタルカメラ１００において、測位情報に基づいて撮像された画像に対応する画像データに関連付けられたＸＭＬデータを生成するのではなく、秘匿対象の存在場所で撮像された画像を出力禁止とするような情報（出力禁止情報）を、対応する画像データに関連付けてメモリカード１０９に記録するように構成しても上述した本実施の形態と同様の効果が得られる。
【００５２】
上記の出力禁止情報は、他の装置への転送を禁止する情報であっても良いし、プリントを禁止する情報であっても良い。
【００５３】
なお、上述した実施の形態は一例を示したものであり、これら以外の事例にも適用できることは言うまでもない。また、図４のフローチャートには、必要最小限の動作が記されているのみなので、これ以外の動作を伴ってもよいことは言うまでもない。
【００５４】
また、本発明の目的は、上述した実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５５】
この場合、記憶媒体から読み出されたプログラムコード自体が前述した実施の形態の機能を実現することになり、そのプログラムコードを記憶した記憶媒体は本発明を構成することになる。
【００５６】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムコードを記憶できるものであればよい。或いは、上記プログラムコードは、インターネット、商用ネットワーク、若しくはローカルエリアネットワーク等に接続される不図示の他のコンピュータやデータベース等からダウンロードすることにより供給されてもよい。
【００５７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【００５９】
上記プログラムコードの形態は、オブジェクトコード、インタプリタにより実行されるプログラムコード、ＯＳ（オペレーティングシステム）に供給されるスクリプトデータ等の形態から成ってもよい。
【図面の簡単な説明】
【００６０】
【図１】本発明の実施の形態に係る画像撮像装置としてのデジタルカメラの概略構成を示すブロック図である。
【図２】図１における本体部のＸＭＬ生成部によって生成されるＸＭＬデータの一例を示す図である。
【図３】本発明の実施の形態に係る画像撮像装置としてのプリンタの概略構成を示すブロック図である。
【図４】図３におけるプリント許可判定部が実行するプリンタのプリント許可判定処理のフローチャートである。
【符号の説明】
【００６１】
１００  デジタルカメラ
１０１  カメラ本体部
１０２  撮像部
１０３  画像処理部
１０４  画像圧縮・伸長部
１０９  メモリカード
１１０  ＧＰＳユニット
３００  プリンタ
３０３  データ読み取り部
３０５  ＸＭＬ解析部
３０６  プリンタエンジン
３０７  プリント許可判定部
【図１】
2006165814.tif 000003
【図２】
2006165814.tif 000004
【図３】
2006165814.tif 000005
【図４】
2006165814.tif 000006